(57)【要約】  本発明は管状医療機器用洗浄ボール及びその製造方法に関するもので、より詳しくは、最小侵襲手術時に人体に挿入して用いられる管状医療機器の洗浄のために別途のブラシなどを利用しないで、洗浄液とともに投入して管状医療機器を洗浄することができるように構成された管状医療機器用洗浄ボール及びその製造方法に関するものである。このために、洗浄ボールは表面粗さを有し、内部に中空を有する球状に製造される。【特許請求の範囲】
【請求項１】
表面粗さを有する纎維織物材質で、内部に中空（１０１）を有する球状をなすように、同じ大きさと形状を有する半球状の上部キャップ（１１０）と下部キャップ（１２０）が圧着加工されて一体型に形成され、圧着された接合部位に沿って突出されたフランジ部（１０２）を形成し、
管状医療機器（１０）の内部に洗浄液（１１）とともに注入されて前記管状医療機器（１０）の内周面に付着された残留物質（１３）をかき出して除去しながら排出されることを特徴とする管状医療機器用洗浄ボール。
【請求項２】
前記中空（１０１）は、内部にボール状を保持するように弾性を有する重合体（１３０）を含んでなることを特徴とする請求項１に記載の管状医療機器用洗浄ボール。
【請求項３】
前記重合体は、エラストマーまたはポリアクリル酸ナトリウムまたはポリアクリル酸エステルの中の何れか一つであることを特徴とする請求項２に記載の管状医療機器用洗浄ボール。
【請求項４】
前記重合体（１３０）は、水分吸収によって膨脹する膨張剤（１４０）で包まれたことを特徴とする請求項２に記載の管状医療機器用洗浄ボール。
【請求項５】
前記上部キャップ（１１０）と下部キャップ（１２０）は互いに異なる表面粗さを有することを特徴とする請求項１に記載の管状医療機器用洗浄ボール。
【請求項６】
表面粗さを有する纎維織物材質で、内部に中空（１０１）を有する球状を有し、管状医療機器（１０）の内部に洗浄液（１１）とともに注入されて前記管状医療機器（１０）の内周面に付着された残留物質（１３）をかき出して除去しながら外部に排出される管状医療機器用洗浄ボールの製造方法において、
対応して互いに挿入されることができるように凹部（２０１）と凸部（２０２）をそれぞれ形成した上部金型（２００ａ）と下部金型（２００ｂ）との間に表面粗さと面積を有する織物（Ｆ）を位置させる過程と、位置された前記織物（Ｆ）をプレス加工して一面に複数の半球を形成した上部キャップベース（１５０）と下部キャップベース（１６０）に製造する過程を有するキャップ形状のベース製造段階（Ｓ１）と、
前記ベース製造段階（Ｓ１）を通じて製造された上部キャップベース（１５０）と下部キャップベース（１６０）を中心として中空（１０１）が形成されるように半球を互いに対応するように位置整列する過程を有する上・下部整列段階（Ｓ２）と、
前記上・下部整列段階（Ｓ２）を通じて整列された上部キャップベース（１５０）と下部キャップベース（１６０）をプレス（３００）を利用して圧着しながら切断して中心に中空（１０１）を有する球状の洗浄ボール（１００）に製造する過程を有する成形及び切断段階（Ｓ３）とを含んでなる管状医療機器用洗浄ボールの製造方法。
【請求項７】
上・下部整列段階（Ｓ２）は、球状を保持することができるように前記中空（１０１）に弾性を有する重合体（１３０）を含むように重合体層（１７０）を位置させる過程を有する請求項６に記載の管状医療機器用洗浄ボールの製造方法。
【請求項８】
前記上・下部整列段階（Ｓ２）は、前記重合体（１３０）を膨張剤（１４０）が包むように水分吸収によって膨脹する材質の膨張剤層（１８０ａ、１８０ｂ）を位置させる過程を含んでなることを特徴とする請求項７に記載の管状医療機器用洗浄ボールの製造方法。
【請求項９】
前記成形及び切断段階（Ｓ３）は、圧着して切断する前に上部キャップベース（１５０）と下部キャップベース（１６０）を接合するための超音波接合過程または接着剤接合過程をさらに含んでなることを特徴とする請求項６に記載の管状医療機器用洗浄ボールの製造方法。
【請求項１０】
前記上部キャップベース（１５０）の半球状がなす上部キャップ（１１０）と、前記下部キャップベースの半球状がなす下部キャップ（１２０）は接合部位が圧着されることによって突出されるようにフランジ部（１３０）をさらに形成することを特徴とする請求項６に記載の管状医療機器用洗浄ボールの製造方法。
【発明の詳細な説明】
【技術分野】
【０００１】
本発明は管状医療機器用洗浄ボール及びその製造方法に関するもので、より詳しくは、最小侵襲手術時に人体に挿入して用いられる管状医療機器の洗浄のために別途のブラシなどを利用しないで洗浄液とともに投入して管状医療機器を洗浄及び消毒することができるように構成された管状医療機器用洗浄ボール及びその製造方法に関するものである。
【背景技術】
【０００２】
一般に、最小侵襲手術は少なくとも一つの小さな切開部を通じて患者（または手術対象となる動物など）の体の中に手術道具を挿入して手術を行う手術で切開を最小化する手術技法である。
【０００３】
最小侵襲手術の一般的な形態は内視鏡手術で、その中でも最も一般的な形態の手術は腹腔内で最小侵襲照射と手術をする腹腔鏡手術である。
【０００４】
標準腹腔鏡手術の場合には、患者の腹部にガスを注入し、腹腔鏡手術道具に対する入口を提供するために少なくとも一つの小さな切開部を作った後、これを通じて套管針（ｔｒｏｃａｒ）を挿入する過程を経て手術を行う。
【０００５】
このような手術を行う際に、使用者は套管針を通じて手術部位などに腹腔鏡手術道具を挿入し腹腔外部でそれを操作（または、操縦）することが一般的である。
【０００６】
一方、内視鏡は通常の患者の口腔や燼門または腹部などの切除部を通じて患者の体の中に挿入して目的する患部の状態を肉眼で観察することができるように開発されたもので、患者を検診するにあっては必須的であり、非常に重要な役割を果たす医療器具である。
【０００７】
このように人体の臓器に挿入して用いられる内視鏡装置や血液に挿入するカテーテル（ｃａｔｈｅｔｅｒ）、套管針（ｔｒｏｃａｒ）などはできる限り再使用しないで使い捨てで用いて再使用による２次感染を予防することが好ましい。
【０００８】
しかしながら、このような管状の医療機器は大部分高価であり、病院環境などの必要によって一度使ってから廃棄するのではなく洗浄後消毒して再使用されていることが現実である。
【０００９】
一方、このような管状の医療機器の外部は通常の消毒や洗浄を通じて不純物を除去し、再使用可能な程度に洗浄及び消毒が容易であるが、管状医療機器の内部は洗浄及び消毒が容易でないことが事実である。
【００１０】
それにより、このような医療機器を他の患者の検診などに用いるために人体に無害でありながら病源菌を効果的に殺菌して洗浄する方案は（特許文献０００１）韓国公開実用新案第２０−２０１６−００００８２２号及び（特許文献０００２）韓国公開特許公報第１０−２０１３−０００００４３号で開示されているようにたゆまずに模索されて来た。
【００１１】
一例として、このような管状医療機器の洗浄（消毒）のための従来技術において、管状医療機器を熱い蒸気で殺菌消毒するか、エチレン酸化物ガスに当てるかまたは熱乾燥或は超音波洗浄を通じた方法が行われた。
【００１２】
また、管状医療機器の内部に付着された残留物質を除去するために管状に挿入することができるブラシなどを利用して洗浄する方法が利用された。
【００１３】
しかしながら、このような従来の洗浄方法は、医療機器が熱に敏感な場合使用が難しく、化学薬品が人体に悪影響を及ぼす虞があるだけでなく、十分な洗浄効果が得られないという問題点があった。
【００１４】
また、ブラシを利用した従来の管状医療機器の洗浄は、管状に挿入されるブラシの位置と形態によってブラシが触れない死角地帯が発生するしかなく、これを洗浄液などを噴射して補っても十分な洗浄効果が得られないという問題点があった。
【００１５】
一方、このような従来の問題点を解決するために管状の医療機器の内部に水などの洗浄液とともに数ｍｍ〜数ｃｍ大きさのたくさんの洗浄ボールを投入して、管状の医療機器を洗浄する方案が提示されたことがある。
【００１６】
図１ａ及び図１ｂを参照すれば、洗浄を要する管状医療機器１０の内部に洗浄液１１とともに洗浄ボール１２を投入し、前記洗浄ボール１２が注入Ａされてから排出Ｂされるうちに内壁の残留物質１３をかいて除去するのである。
【００１７】
このような洗浄ボール１２は表面粗さを有し、これを利用した管状医療機器１０の洗浄は、従来に比べて医療機器１０の内部の残留物質１３を手軽く、死角なしに確実に除去することができた。
【００１８】
しかしながら、このような洗浄ボール１２は、従来骨組みを構成する糸巻き１２ａの上に纎維、即ち原糸を強い圧力をかけながら巻いて作ったもので、製品の製作が非常に難しいという問題点があった。
【００１９】
また、洗浄ボール１２の製作が難しくて一度に大量生産が難しく、糸巻き１２ａを除去した単純に纎維を丸めて糸塊形状に作ろうとしてもその製作が容易でなくて諸問題点をもたらした。
【００２０】
従って、洗浄ボール１２の使用に限界があり、このような問題点を解決して大量生産が容易でありながらも従来のブラシなどを利用しないで効率の優れた洗浄ボール１２が要求されている現実である。
【発明の概要】
【発明が解決しようとする課題】
【００２１】
本発明は前述した問題点を解決するために案出されたもので、上部キャップと下部キャップをプレス加工して大量生産が容易な管状医療機器用洗浄ボール及びその製造方法を提供することをその目的とする。
【００２２】
また、表面粗さを有して洗浄過程で管状医療機器の内部の死角地帯なしに人体に刺激的な残留物質を完全に除去することができる管状医療機器用洗浄ボール及びその製造方法を提供することをその目的とする。
【００２３】
さらに、洗浄ボールの中空に重合体または重合体及び膨張剤を含んで洗浄過程で球状を保持しながら管状医療機器の内壁に対する圧力を高めて洗浄効果を極大化することができるように構成した管状医療機器用洗浄ボール及びその製造方法を提供することを目的とする。
【００２４】
さらに、大量生産が容易で、全体費用の節減効果を奏することができ、使用上の便宜性を増大させることができる管状医療機器用洗浄ボール及びその製造方法を提供することをその目的とする。
【課題を解決するための手段】
【００２５】
前記のような目的を達するために、本発明による管状医療機器用洗浄ボール及びその製造方法を説明すれば下記の通りである。
【００２６】
本発明による管状医療機器用洗浄ボールは、表面粗さを有する纎維織物材質で製造され、内部に中空を有する球状を有し、中空内部に球状を保持するように弾性を有する重合体を含む。前記管状医療機器用洗浄ボールは、また同一大きさと形状を有する半球状の上部キャップと下部キャップが圧着加工されて一体型に形成され、圧着された接合部位に沿って突出されたフランジ部を形成する。
【００２７】
必要によって、重合体は水分吸収によって膨脹する膨張剤で包まれて構成されることができる。
【００２８】
一方、前記重合体はエラストマー、ポリアクリル酸ナトリウムまたはポリアクリル酸エステルであってもよい。
【００２９】
前記洗浄ボールは、管状医療機器の内部に洗浄液とともに注入されて管状医療機器の内周面に付着された残留物質をかき出して除去しながら排出される。
【００３０】
洗浄ボールは、中空の内部に侵入した洗浄液によって膨脹される。
【００３１】
必要によって、上部キャップと下部キャップは必要によって互いに異なる表面粗さを有する。
【００３２】
本発明による前記管状医療機器用洗浄ボールの製造方法はキャップ形状のベース製造段階、上・下部整列段階、成形及び切断段階とで構成される。
【００３３】
まず、キャップ形状のベース製造段階は、対応して互いに挿入されることができるように凹部と凸部をそれぞれ形成した上部金型と下部金型との間に表面粗さと面積を有する織物を位置させる過程と、位置された織物をプレス加工して一面に複数の半球を形成した上部キャップベースと下部キャップベースに製造する過程とを有する。
【００３４】
上・下部整列段階は、前記ベース製造段階を通じて製造された上部キャップベースと下部キャップベースを中心として中空が発生するように半球を互いに対応するように位置整列する過程を有する。また、前記上・下部整列段階は中空に球状を保持することができるように弾性を有する重合体を含むように重合体を位置させる過程を有する。
【００３５】
一方、必要によって、上・下部整列段階は重合体を膨張剤が包むように水分吸収によって膨脹する材質の膨張剤層を位置させる過程を含んでもよい。
【００３６】
成形及び切断段階は、上・下部整列段階を通じて整列された上部キャップベースと下部キャップベースをプレスを利用して圧着しながら切断して中心に中空を有する球状の洗浄ボールを製造する過程を有する。
【００３７】
必要によって、前記成形及び切断段階は、圧着して切断する前に上部キャップベースと下部キャップベースとを接合するための超音波接合過程または接着剤接合過程をさらに含んでもよい。
【００３８】
一方、上部キャップベースの半球状がなす上部キャップと、下部キャップベースの半球状がなす下部キャップは接合部位が圧着されることによって突出されるようにフランジ部をさらに形成する。
【００３９】
必要によって、上部キャップと下部キャップは互いに異なる表面粗さを有する。
【発明の効果】
【００４０】
このように本発明による管状医療機器用洗浄ボール及びその製造方法は、表面粗さを有する織物を球状にプレス加工して大量生産が容易であり、製作及び使用時の費用を節減することができ、使用上の便宜性を増大させるという効果を奏する。
【００４１】
また、洗浄ボールは纎維織物材質で、表面粗さを有して洗浄過程で管状医療機器の損傷と内部の死角地帯なしに人体に刺激的な残留物質を完全に除去することができるという効果を奏する。
【００４２】
さらに、洗浄ボールの中空に含まれた重合体または、重合体及び膨張剤によって管状医療機器の洗浄時に外部圧力にも洗浄ボールの球状を保持することができ、吸収された水分で膨脹して管状医療機器の内壁に対する圧力を増大させて洗浄過程で洗浄効率を極大化するという効果を奏する。
【図面の簡単な説明】
【００４３】
【図１ａ】従来技術による管状医療機器の洗浄を示す概路図である。
【図１ｂ】従来技術に適用された管状医療機器用洗浄ボールを示す概路図である。
【図２】本発明による管状医療機器用洗浄ボールを示す斜視図である。
【図３】本発明の実施例による管状医療機器用洗浄ボールを示す断面図である。
【図４】本発明による管状医療機器用洗浄ボールの製造方法を示す概略的な図面である。
【図５】本発明による管状医療機器用洗浄ボールの製造方法を示す概略的な図面である。
【図６】本発明による管状医療機器用洗浄ボールの製造方法を示す概略的な流れ図である。
【図７】本発明による管状医療機器用洗浄ボールの使用状態を示す概略的な図面である。
【発明を実施するための形態】
【００４４】
以下、添付した図面を参照して本発明による管状医療機器用洗浄ボール及びその製造方法の好ましい実施例について詳しく説明する。
【００４５】
そして、本発明を説明するにおいて係わる公知機能あるいは構成に対する具体的な説明は本発明の要旨を曖昧にしないようにするために省略する。
【００４６】
また、図面において管状医療機器１０は注入口Ａ側と排出口Ｂ側が互いに異なる入口を有することに示しているが、これは説明の便宜のための一例であって、管状医療機器１０自体の形状によって注入口Ａ側と排出口Ｂ側は同一位置にあり得ることは勿論である。
【００４７】
そして、本発明を説明するにおいて従来技術を説明する際に説明された要素と同じ要素は同じ図面符号を有するように記載して説明する。
【００４８】
まず、図２は本発明による管状医療機器用洗浄ボールを示す斜視図であり、図３は本発明の実施例による管状医療機器用洗浄ボールを示す断面図である。
【００４９】
図示したように、本発明による管状医療機器用洗浄ボール１００は、表面粗さを有する纎維織物材質で製造され、内部に中空１０１を有する球状を有する。
【００５０】
このような洗浄ボール１００は、管状医療機器１０の内部に洗浄液１１とともに注入されて管状医療機器１０の内周面に付着された残留物質１３をかき出して除去しながら外部へ排出される。
【００５１】
具体的に、前記洗浄ボール１００は、表面粗さを有する纎維織物材質を利用して製造され、同じ大きさと形状を有する半球状の上部キャップ１１０と下部キャップ１２０が圧着プレス加工されて一体型に形成されて中空１０１を有する球状に構成される。
【００５２】
そして、前記上部キャップ１１０と下部キャップ１２０の圧着部位は突出されたフランジ部１０２を形成し、前記フランジ部１０２は管状医療機器１０の内壁をより容易にかいて残留物質１３を除去する役割を果たす。
【００５３】
図３ａを参照すれば、管状医療機器用洗浄ボール１００は中空１０１に重合体１３０と膨張剤１４０を含まない純粋空いた空間で形成することができる。
【００５４】
洗浄ボール１００は洗浄液とともに管状医療機器１０の内部に注入され、表面をなす纎維織物材質の材質的特性により洗浄液１１が中空１０１の内部に浸透して注入され、それによって洗浄ボール１００の表面が膨脹されて表面積が広くなる。
【００５５】
この時、洗浄ボール１００の中空１０１に浸透して注入された洗浄液１１は洗浄ボール外部の洗浄液に対して対抗する内部圧力を有し、それにより、膨脹された洗浄ボール１００はある程度の外部圧力に対抗する内部圧力を有するようになり、洗浄ボール１００の円形は保持されることができる。従って、膨脹された洗浄ボール１００は表面積が広くなることによって管状医療機器の内壁をかくことができて洗浄効率を高めることができる。
【００５６】
一方、前記上部キャップ１１０と下部キャップ１２０は同一表面粗さを有するが、必要によって粗さが互いに異なる材質を利用することで互いに異なる表面粗さを有するように形成することができる。
【００５７】
また、図３ｂを参照すれば、前記洗浄ボール１００は管状医療機器１０に注入されて内部洗浄を行う過程で外部圧力にもより一層円形を保持することができるように、中空１０１に弾性を有する重合体１０１ａを含むことができる。
【００５８】
この時、前記重合体１０１ａは中空１０１に充填されており、単一重合体または複数の重合体で存在することができる。
【００５９】
一つの例示として、前記重合体１０１ａは通常シリコーンまたはゴムが利用されることができ、具体的にエラストマー、ポリアクリル酸ナトリウムまたはポリアクリル酸エステルであってもよい。
【００６０】
このような重合体１０１ａは重合体自体が弾性を持ってその形態を保持するかまたは中空１０１に洗浄液１１が浸透されることによってこれを吸収して膨脹するかゲル化して洗浄ボール１００がボールの形状を外部の圧力にも保持することができるようにする役割を果たすことができる。一方、前記重合体１３０は生産費用と製作の容易性を考慮して水分吸収により膨脹しない重合体が利用されることもできる。
【００６１】
次に、図３ｃを参照すれば、また他の実施例において、必要によって管状医療機器用洗浄ボール１００は水分吸収によって膨脹する膨張剤１４０が重合体１３０を包むように構成することができる。
【００６２】
好ましくは、膨張剤１４０の膨張率は重合体１３０より高く、水分を充分吸収して膨脹することができる材質が利用される。
【００６３】
管状医療機器１０の洗浄過程で洗浄ボール１００の表面を構成する上部キャップ１１と下部キャップ１２０は纎維織物材質が洗浄液を吸収して膨脹する時、重合体１３０と上部キャップ１１０または下部キャップ１２０との間に空いた空間が形成されることができ、この場合、外部圧力によって空間が歪む虞がある。
【００６４】
しかし、膨張剤１４０を含む場合、前述した問題点を防止することができ、従って膨張剤１４０は水分吸収によって膨脹する膨張率の高い材質からなることができる。
【００６５】
このように、重合体１３０の外部を膨張剤１４０が包んで一体型に形成された構造によって、管状医療機器の洗浄過程で注入された洗浄液１１は洗浄ボール１００の外表面を構成する纎維織物材質だけでなく膨張剤１４０にも吸収される。
【００６６】
膨張剤１４０は洗浄液を吸収して膨脹しながら上部キャップ１１０と下部キャップ１２０をさらに膨脹させて外部表面積が増加するようにするだけでなく、内部重合体１３０とともに外部圧力に耐えて洗浄ボール１１０の球状を保持するようにする役割を果たす。
【００６７】
このような膨張剤１４０は、好ましくは天草を利用した寒天が利用されることができ、水分吸収によって膨脹する膨張率の高い素材であれば前述した以外に多様な種類が利用されることができることは勿論である。
【００６８】
本発明による洗浄ボール１００の中空１０１に前述した重合体１３０及び膨張剤１４０を含む場合、前記洗浄ボール１００は洗浄液１１の吸収による嵩の膨張率１５％〜３５％または２０％〜３０％の範囲内にあってもよい。
【００６９】
次に、本発明による管状医療機器用洗浄ボールの製造方法について説明する。図４〜図６は本発明による管状医療機器用洗浄ボールの製造方法を示す概略的な図面と流れ図で、図７は本発明による管状医療機器用洗浄ボールの使用状態を示す概略的な図面である。
【００７０】
前述したように、本発明による管状医療機器用洗浄ボール１００は、纎維織物材質で製造され、上部キャップ１１０と下部キャップ１２０とを互いに密着させてプレス加工して一体型に製作することで全体が球状を有するように成形される。
【００７１】
より詳しくは、前記洗浄ボール１００は大きくベース製造段階Ｓ１、上・下部整列段階Ｓ２、成形及び切断段階Ｓ３を経て完製品に製造される。
【００７２】
まず、前記ベース製造段階Ｓ１は、洗浄ボール１００を構成する上部キャップ１１０と下部キャップ１２０の半球形態を作るためのことで、前記キャップ形状の上部キャップ１１０と下部キャップ１２０を複数形成した上部キャップベース１５０と下部キャップベース１６０を製造する。
【００７３】
このために、対応して互いに挿入されることができるように凹部２０１と凸部２０２をそれぞれ形成した上部金型２００ａと下部金型２００ｂとの間に表面粗さと面積を有する纎維織物Ｆを位置させる過程と、位置された前記織物Ｆをプレス加工して一面に複数の半球を形成した上部キャップベース１５０と下部キャップベース１６０に製造する過程とを有する。
【００７４】
このような過程を通じて扁平な形状の織物Ｆは突出されたエンボス面を有する上部キャップベース１５０と下部キャップベース１６０に再誕生する。
【００７５】
この時、前記上部キャップベース１５０と下部キャップベース１６０は同じ金型で製造することができ、必要によって別途の金型で製造することができることは勿論である。
【００７６】
一方、前記織物Ｆは上部金型２００ａと下部金型２００ｂの金型面を完全に覆うことができる大きさと面積を有し、金型に形成された凹部２０１と凸部２０２の個数だけ半球状、即ちエンボシングを有するようになる。
【００７７】
前記上部金型２００ａと下部金型２００ｂは金型面全体に沿って複数の凹部２０１のみを有するかまたは複数の凸部２０２のみを有することが好ましい。
【００７８】
次に、前記上・下部整列段階Ｓ２はベース製造段階Ｓ１を通じて製造された上部キャップベース１５０と下部キャップベース１６０を中心として中空１０１が生ずるように半球を互いに対応するように位置整列する過程を有する。
【００７９】
これを通じて、上部キャップベース１５０と下部キャップベース１６０は互いに対向しながら中空１０１を有する洗浄ボール１００形態を有することができる。
【００８０】
このような状態でプレス加工して洗浄ボール１００を製造すれば、図３ａのような中空１０１が空いた空間を有する洗浄ボールに形成される。
【００８１】
そして、図３ｂのような洗浄ボール１００を成形するために、上・下部整列段階Ｓ２は、中空１０１に球状を保持することができるように弾性を有する重合体１３０を含むように重合体層１７０を位置させる過程を有する。
【００８２】
この時、重合体１３０は中空１０１に充填されることができるように単一重合体または複数の重合体で存在することができる。
【００８３】
図面において、前記重合体１３０が予め上部キャップベース１５０と下部キャップベース１６０がなす中空１０１に含まれることができる大きさのエンボシング形態に作って用いることができることを示したが、これに制限されるのではなく、必要によって厚さを有する板状の重合体層１７０を金型が加圧することで製造されることができることは勿論である。
【００８４】
また、重合体１３０の形成はその方法が限定されるのではなく、シリコーンの場合、ガンの形態で中空１０１の内部空間に注入する方法を通じて重合体１３０を形成することができることは勿論である。
【００８５】
一方、このような重合体１３０は重合体自体が弾性を有してその形態を保持するかまたは中空１０１に洗浄液１１が浸透されることによってこれを吸収して膨脹するかゲル化されて洗浄ボール１００のボール状を外部圧力にも保持することができるようにする役割を果たす。
【００８６】
このような重合体１３０による洗浄ボール１００の形状保持は上述したように管状医療機器１０の内部を通過しながら管状医療機器１０の残留物質を充分にかいて除去することにより洗浄効率を極大化させる。前記重合体の種類は、前述したように、エラストマー、ポリアクリル酸ナトリウムまたはポリアクリル酸エステルであってもよい。
【００８７】
そして、図３ｃのような洗浄ボール１００を成形するために、上・下部整列段階Ｓ２は、重合体１３０を膨張剤１４０が包むように重合体層１７０の上部と下部に水分吸収によって膨脹する材質の膨張剤層１８０ａ、１８０ｂを位置させる過程を含む。
【００８８】
それによって形成された膨張剤１４０は洗浄液を吸収して膨脹しながら内部重合体１３０とともに外部圧力に耐えて洗浄ボール１００の球状を保持するようにする役割を果たす。
【００８９】
一つの例示として、膨張剤層１８０ａ、１８０ｂは天草を利用した寒天が利用されることができるが、これに制限されなく、水分吸収によって膨脹する膨張率の高い素材であれば多様に適用されることができることは勿論である。
【００９０】
前記膨張剤層を位置させる過程を含んで製造された洗浄ボール１００の中空１０１には重合体１３０及び膨張剤１４０を含む。
【００９１】
次に、前記成形及び切断段階Ｓ３は、上・下部整列段階Ｓ２を通じて整列された上部キャップベース１５０と下部キャップベース１６０をプレス３００を利用して圧着しながら切断して中心に中空１０１を有する球状の洗浄ボール１００に製造する過程を有する。
【００９２】
プレス加圧時に発生される圧力と熱によって上部キャップベース１５０と下部キャップベース１６０をなす織物Ｆが互いに接合されることになり、それぞれの半球と対向する半球は中心に中空１０１を形成して単一洗浄ボール１００に製造される。
【００９３】
そして、前記面積を有する織物Ｆの大きさと半球の個数によって洗浄ボール１００は同時に複数が成形される。
【００９４】
一方、必要に応じて、成形及び切断段階Ｓ３は、切断前に前記上部キャップベース１５０と下部キャップベース１６０との接合のために別途の超音波接合過程と接面部位に接着剤を利用した接合過程を含んで構成されることができることは勿論である。
【００９５】
図７を参照して、上述したように製造された本発明による管状医療機器用洗浄ボール１００の使用状態を説明すれば下記の通りである。
【００９６】
この時、洗浄ボール１００は中空１０１に重合体１３０と膨張剤１４０を含んだ構造を例示として説明する。
【００９７】
体の中に手術道具を挿入して手術を行う管状の医療機器１０は使用によって洗浄及び消毒を必要とし、内部に残留物質１３を含んでいる。
【００９８】
前記管状の医療機器１０を洗浄するために超音波洗浄や洗浄筒の中に管状の医療機器１０を漬けておいて洗浄過程を行うことができ、管状医療機器１０の内部を完全に洗浄して消毒するために別途の洗浄液１１を前記管状医療機器１０で注入口Ａを通じて注入し再び排出口Ｂを通じて排出しながら洗浄過程を有する。
【００９９】
この時、前記洗浄液１１は食塩水や水または消毒のための薬剤を含んだ水が利用されることができ、何れか一つに限定されるのではない。
【０１００】
そして、注入口Ａに注入される洗浄液１１とともに必要によって多量の洗浄ボール１００を注入する。
【０１０１】
前記洗浄ボール１００は予め洗浄液１１の内部に含まれた状態で注入されることが好ましく、必要によって洗浄液１１と別途に注入することができることは勿論である。
【０１０２】
上述したように、前記洗浄ボール１００は、好ましくは、纎維織物Ｆで製造されたもので表面粗さを有し、洗浄液１１が中空１０１の内部に侵透することで膨脹性を有する。
【０１０３】
そして、上部キャップ１１０と下部キャップ１２０との接合部位にはプレス加工によって突出されたフランジ部１０２を含んで、洗浄ボール１００の表面の粗い面とフランジ部１０２は管状医療機器１０に注入されて注入口Ａから排出口Ｂに移動しながら内壁に付着されるか、残留していた残留物質１３をかき出して除去しながら排出する。
【０１０４】
この時、中空１０１の内部に浸透された洗浄液１１によって洗浄ボール１００は外部圧力にも円形を保持しようとする力を有するようになり、中空に含まれた重合体１３０は弾性を有することから洗浄ボール１００が球状をより容易に保持することができるようにする。
【０１０５】
特に、膨張剤１４０を含む構造の場合、膨張剤１４０は水分吸収による膨張率が高い材質で、纎維織物Ｆを内部から外部に加圧して外部圧力にも洗浄ボール１００が球状をより容易に保持することができるようにして洗浄効率をより極大化させることができる。
【０１０６】
このように構成された洗浄ボール１００は管状医療機器１０の内部を移動しながらより容易に残留物質１３を除去することができる。
【０１０７】
そして、洗浄液１１は管状医療機器１０の内部に注入されながら管状医療機器１０の形態または注入圧力によって渦流を形成し、この時、洗浄ボール１００は管状医療機器１０の内壁にぶつかりながら洗浄作業を行う。
【０１０８】
一方、前記洗浄ボール１００は管状医療機器１０の形態と大きさによって数ｍｍ〜数ｃｍの大きさを有する。図示しなかったが、洗浄方法によって管状医療機器１０の内部を全部満たすことができる量が注入されたりする。一つの例示として、前記洗浄ボール１００はその用途によって２ｍｍ〜５ｍｍの範囲内にあってもよいが、これに制限されるのではない。
【０１０９】
この時、前記洗浄ボール１００は洗浄液１１が中空１０１に浸透されることによって膨脹されて表面積が広くなった状態であり、管状医療機器１０の内部を密接に満たしながら位置される。
【０１１０】
そして、注入される洗浄液１１の圧力によって膨脹された洗浄ボール１００は管状医療機器１０の内周面に沿って移動し、より完全に前記管状医療機器１０の内壁を洗浄することになる。
【０１１１】
言い換えれば、注入される洗浄ボール１００は管状医療機器１０の形態によって注入される個数が選択されることができ、洗浄液１１とともに注入されるか別途注入されることができることは勿論である。
【０１１２】
それによって、上述したように本発明による管状医療機器用洗浄ボール１００は管状医療機器の内部の死角地帯なしに人体に刺激的な残留物質を完全に除去することができる。
【０１１３】
以上で説明した本発明は発明が属する技術分野において通常の知識を有する者にとって本発明の技術的思想を逸脱しない範囲内で様々な置換変形及び変更が可能であるので、前述した実施例及び添付された図面に限定されるのではない。
【図１ａ】
2020510449.tif 000002
【図１ｂ】
2020510449.tif 000003
【図２】
2020510449.tif 000004
【図３（ａ）】
2020510449.tif 000005
【図３（ｂ）】
2020510449.tif 000006
【図３（ｃ）】
2020510449.tif 000007
【図４】
2020510449.tif 000008
【図５】
2020510449.tif 000009
【図６】
2020510449.tif 000010
【図７】
2020510449.tif 000011
【国際調査報告】
2020510449.tif 000012
2020510449.tif 000013
2020510449.tif 000014
2020510449.tif 000015